(57)【要約】【課題】簡便な操作で無線機器の設置位置を決定する。【解決手段】情報処理装置１では、第１画像データ生成部２２１は、位置情報に基づいて、複数のオブジェクトを含む第１画像を示す第１画像データを生成する。表示平面決定部２２２は、第１選択操作に応じて、第１画像の一点に対応する位置を含む表示平面を決定する。第２画像データ生成部２２３は、表示平面に含まれる複数のオブジェクトを含む表示平面画像と、設置候補表示とを含む第２画像を示す第２画像データを生成する。設置候補表示は、無線機器の設置位置として選択可能な前記複数のオブジェクトの面を示す。設置面選択部２２４は、第２選択操作に応じて、設置候補表示の何れかに対応する面が選択されたかを決定する。設置位置決定部２２６は、第１画像の一点に対応する位置、及び選択された面の位置に基づいて、無線機器の設置位置を決定する。【選択図】図３
2018200503.tif 000002
【特許請求の範囲】
【請求項１】
３次元空間内に配置される複数のオブジェクトの位置を示す位置情報を記憶する記憶部と、
前記位置情報に基づいて、前記複数のオブジェクトを含む第１画像を示す第１画像データを生成し、前記第１画像データを表示部に出力する第１画像データ生成部と、
操作者の第１選択操作に応じて、前記第１画像の一点に対応する位置を含む表示平面を決定する表示平面決定部と、
前記表示平面に含まれる前記複数のオブジェクトを含む表示平面画像と、前記表示平面画像に重畳して配置され且つ無線機器の設置位置として選択可能な前記複数のオブジェクトの面を示す設置候補表示とを含む第２画像を示す第２画像データを生成し、前記第２画像データを前記表示部に出力する第２画像データ生成部と、
操作者の第２選択操作に応じて、前記設置候補表示の何れかに対応する面が選択されたかを決定する設置面選択部と、
前記第１画像の一点に対応する位置、及び前記選択された面の位置に基づいて、無線機器の設置位置を決定する設置位置決定部と、
を有する、無線機器の設置位置を決定する情報処理装置。
【請求項２】
操作者の前記第２選択操作に応じて、選択された設置候補表示を他の設置候補表示と異なる表示形式で表示する第３画像を示す第３画像データを生成し、前記第３画像データを前記表示部に出力する第３画像データ生成部を更に有する、請求項１に記載の情報処理装置。
【請求項３】
前記第２画像は、前記設置候補表示に対応する面を示す選択リストを更に含む、請求項１又は２に記載の情報処理装置。
【請求項４】
前記設置位置決定部は、所与の面が無線機器を設置する面として規定されているときに、前記所与の面に対応する位置を無線機器の設置位置を決定する、請求項１〜３の何れか一項に記載の情報処理装置。
【請求項５】
前記複数のオブジェクトの面の何れかが無線機器を設置可能であるかを決定する設置可能面決定部を更に有し、
前記第２画像は、無線機器を設置可能であると決定された面に対応する前記設置候補表示を含み、前記設置可能面決定部によって無線機器を設置可能でないと決定された面に対応する前記設置候補表示を含まない、請求項１〜３の何れか一項に記載の情報処理装置。
【請求項６】
無線機器が使用される態様を決定する使用態様決定部を更に有し、
前記第２画像は、前記使用態様決定部によって決定された態様に応じて、前記設置候補表示の少なくとも１つを他の設置候補表示と異なる表示形式で表示する、請求項１〜５の何れか一項に記載の情報処理装置。
【請求項７】
３次元空間内に配置される複数のオブジェクトの位置を示す位置情報に基づいて、前記複数のオブジェクトを含む第１画像を示す第１画像データを生成し、前記第１画像データを表示部に出力し、
操作者の第１選択操作に応じて、前記第１画像の一点に対応する位置を含む表示平面を決定し、
前記表示平面に含まれる前記複数のオブジェクトを含む表示平面画像と、前記表示平面画像に重畳して配置され且つ無線機器の設置位置として選択可能な前記複数のオブジェクトの面を示す設置候補表示とを含む第２画像を示す第２画像データを生成し、前記第２画像データを前記表示部に出力し、
操作者の第２選択操作に応じて、前記設置候補表示の何れかに対応する面が選択されたかを決定する設置面選択部と、
前記第１画像の一点に対応する位置、及び前記選択された面の位置に基づいて、無線機器の設置位置を決定する、
処理をコンピュータが実行する、無線機器の設置位置を決定する設置位置決定方法。
【請求項８】
３次元空間内に配置される複数のオブジェクトの位置を示す位置情報に基づいて、前記複数のオブジェクトを含む第１画像を示す第１画像データを生成し、前記第１画像データを表示部に出力し、
操作者の第１選択操作に応じて、前記第１画像の一点に対応する位置を含む表示平面を決定し、
前記表示平面に含まれる前記複数のオブジェクトを含む表示平面画像と、前記表示平面画像に重畳して配置され且つ無線機器の設置位置として選択可能な前記複数のオブジェクトの面を示す設置候補表示とを含む第２画像を示す第２画像データを生成し、前記第２画像データを前記表示部に出力し、
操作者の第２選択操作に応じて、前記設置候補表示の何れかに対応する面が選択されたかを決定する設置面選択部と、
前記第１画像の一点に対応する位置、及び前記選択された面の位置に基づいて、無線機器の設置位置を決定する、
処理をコンピュータに実行させる、無線機器の設置位置を決定する設置位置決定プログラム。
【発明の詳細な説明】
【技術分野】
【０００１】
本発明は、無線機器の設置位置を決定する情報処理装置、無線機器の設置位置を決定する設置位置決定プログラム及びその方法に関する。
【背景技術】
【０００２】
仮想３次元空間内の物体を編集する際に、配置する物体の奥行き方向を表示、複数の物体が同一空間内に配置されないように干渉チェックを行って表示する技術が知られている（例えば、特許文献１を参照）。このような技術によれは、仮想３次元空間内における物体の配置、移動、回転及び整列等の編集を２次元表示上で視覚的に認識しつつ容易かつ効率的に実行することが可能になる。
【０００３】
また、アクティブ指定した図面と他の図面が線分等の要素で部分的に重なる場合に、アクティブ指定された図面の色を他の重なる図面と色相が正反対のものとする技術が知られている（例えば、特許文献２を参照）。このような技術によれは、ＣＡＤを使って設計及び作図を行うときに、アクティブ指定した図面と重なる図面が存在する場合でも、相互間の区別をつけやすくすることによりＣＡＤの操作性の向上が図れる。
【０００４】
また、３次元都市データベースに記憶されるデータを使用して、所定の建物の位置、高さ及び形状に関する情報及び与えられた電波源の位置に基づき電波障害状況を求める技術が知られている（例えば、特許文献３を参照）。このような技術によれは、建物の高さ方向の電波の回折を考慮し、且つ建物の側面全体にわたって電波の干渉を考慮することで、より精密なシミュレーションが可能になる。
【先行技術文献】
【特許文献】
【０００５】
【特許文献１】特開平８−１２９６５５号公報
【特許文献２】特開平６−２９０２２６号公報
【特許文献３】特開２０００−１２３１９８号公報
【発明の概要】
【発明が解決しようとする課題】
【０００６】
屋内等に配置された無線機器の電波解析シミュレーションを実行するときに、無線機器をＣＡＤモデル等のレイアウトモデル内に配置する作業が操作者によって行われる。例えば、操作者は、建屋の平面透視図等の２次元画像において所望の点を指定することで、無線機器の設置位置の水平方向の座標を決定し、別個に表示されるＺ座標入力画面を使用して無線機器の設置位置の鉛直方向の座標を決定することができる。また、操作者は、３次元ＣＡＤ画像を使用して、レイアウト画面上の設置地点をクリックすることで、無線機器を設置する位置の座標を決定することができる。
【０００７】
しかしながら、数十〜数百の無線機器を配置して電波解析シミュレーションを実行するとき、無線機器の設置位置を個々に決定する作業は煩雑になるおそれがある。例えば、２次元画像を使用する方法では、操作者がＺ座標を誤入力することで、天井及び柱の内部等の無線機器が設置されない位置を設置位置に設定するおそれがあり、操作者は、無線機器の設置位置を決定する毎に３次元画像を使用して設置位置を確認する。また、３次元画像を使用する方法では、表示部に表示画面に含まれる領域のみに無線機器が配置可能であるため、操作者は、表示画面に含まれる領域の移動、回転及び拡大等の操作を数多く実行する。２次元画像を使用する方法及び３次元画像を使用する方法の何れの方法においても、操作者は、設置する無線機器の数の増加及び設置する領域の拡大に応じて、移動、回転及び拡大等の操作の回数が増加して、無線機器の設置位置を規定する作業が煩雑になる。
【０００８】
一実施形態では、簡便な操作で無線機器の設置位置を決定可能な情報処理装置を提供することを目的とする。
【課題を解決するための手段】
【０００９】
１つの態様では、情報処理装置は、３次元空間内に配置される複数のオブジェクトの位置を示す位置情報を記憶する記憶部と、第１画像データ生成部と、表示平面決定部と、第２画像データ生成部と、設置面選択部と、設置位置決定部とを有する。第１画像データ生成部は、位置情報に基づいて、複数のオブジェクトを含む第１画像を示す第１画像データを生成し、第１画像データを表示部に出力する。表示平面決定部は、操作者の第１選択操作に応じて、第１画像の一点に対応する位置を含む表示平面を決定する。第２画像データ生成部は、表示平面に含まれる複数のオブジェクトを含む表示平面画像と、設置候補表示とを含む第２画像を示す第２画像データを生成し、第２画像データを表示部に出力する。設置候補表示は、表示平面画像に重畳して配置され且つ無線機器の設置位置として選択可能な前記複数のオブジェクトの面を示す。設置面選択部は、操作者の第２選択操作に応じて、設置候補表示の何れかに対応する面が選択されたかを決定する。設置位置決定部は、第１画像の一点に対応する位置、及び選択された面の位置に基づいて、無線機器の設置位置を決定する。
【発明の効果】
【００１０】
一実施形態では、簡便な操作で無線機器の設置位置を決定することができる。
【図面の簡単な説明】
【００１１】
【図１】（ａ）は２次元画像を使用して無線機器の設置位置を決定するときの第１画面を示す図であり、（ｂ）は第１画面に次いで表示される第２画面を示す図であり、（ｃ）は第２画面に次いで表示される第３画面を示す図である。
【図２】（ａ）は３次元画像を使用して無線機器の設置位置を決定するときの第１画面を示す図であり、（ｂ）は第１画面に次いで表示される第２画面を示す図であり、（ｃ）は第２画面に次いで表示される第３画面を示す図である。
【図３】（ａ）は第１実施形態に係る設置位置決定処理を実行する情報処理装置の回路ブロック図であり、（ｂ）は（ａ）に示す処理部の機能ブロック図である。
【図４】記憶部に記憶されるテーブルの例を示す図であり、（ａ）はレイアウトテーブルを示し、（ｂ）はデバイステーブルを示し、（ｃ）は材質テーブルを示し、（ｄ）はアンテナテーブルを示し、（ｅ）はアプリケーションテーブルを示し、（ｆ）は設置関連テーブルを示す。
【図５】図３に示す情報処理装置による電波解析処理のフローチャートである。
【図６】図５に示すＳ１０４に示す処理のより詳細なフローチャートである。
【図７】（ａ）は図６に示すＳ２０２の処理を説明するための第１の図であり、（ｂ）は図６に示すＳ２０２の処理を説明するための第２の図である。
【図８】（ａ）は図３に示す第２画像データ生成部によって生成された第２画像データに対応する第２画像の一例を示す図であり、（ｂ）は図３に示す第３画像データ生成部によって生成された第３画像データに対応する第３画像の一例を示す図である。
【図９】（ａ）は第２実施形態に係る設置位置決定処理を実行する情報処理装置の回路ブロック図であり、（ｂ）は（ａ）に示す処理部の機能ブロック図である。
【図１０】（ａ）は図９に示す第２画像データ生成部によって生成された第２画像データに対応する第２画像の一例を示す図であり、（ｂ）は図９に示す第３画像データ生成部によって生成された第３画像データに対応する第３画像の一例を示す図である。
【図１１】（ａ）は第３実施形態に係る設置位置決定処理を実行する情報処理装置の回路ブロック図であり、（ｂ）は（ａ）に示す処理部の機能ブロック図である。
【図１２】図１１に示す情報処理装置による電波解析処理のフローチャートである。
【図１３】図１２に示すＳ３０４に示す処理のより詳細なフローチャートである。
【図１４】図１１に示す第１画像データ生成部によって生成された第１画像データに対応する第１画像の一例を示す図である。
【図１５】図１１に示す第３画像データ生成部によって生成された第３画像データに対応する第３画像の一例を示す図である。
【図１６】（ａ）は第４実施形態に係る設置位置決定処理を実行する情報処理装置の回路ブロック図であり、（ｂ）は（ａ）に示す処理部の機能ブロック図である。
【図１７】図１６に示す情報処理装置による電波解析処理のフローチャートである。
【図１８】図１７に示すＳ５０２に示す処理のより詳細なフローチャートである。
【図１９】（ａ）は図１７に示すＳ５０５に示す処理のより詳細なフローチャートであり、（ｂ）は（ａ）（ａ）に示すＳ７０３の処理のより詳細なフローチャートである。
【図２０】（ａ）は図１７に示すＳ５０２の処理を説明するための図であり、（ｂ）は図１７に示すＳ５０５の処理を説明するための図である。
【図２１】（ａ）は第５実施形態に係る設置位置決定処理を実行する情報処理装置の回路ブロック図であり、（ｂ）は（ａ）に示す処理部の機能ブロック図である。
【図２２】図２１に示す情報処理装置による電波解析処理のフローチャートである。
【図２３】（ａ）は図２２に示すＳ９０５に示す処理のより詳細なフローチャートであり、（ｂ）は第２画像の一例を示す図である。
【発明を実施するための形態】
【００１２】
以下図面を参照して、実施形態に係る情報処理装置、設置位置決定プログラム及びその方法について説明する。但し、本発明の技術的範囲はそれらの実施の形態に限定されない。
【００１３】
（実施形態に係る情報処理装置に関連する情報処理装置）
実施形態に係る情報処理装置について説明する前に、実施形態に係る情報処理装置に関連する情報処理装置の操作について説明する。
【００１４】
図１（ａ）は２次元画像を使用して無線機器の設置位置を決定するときの第１画面を示す図であり、図１（ｂ）は第１画面に次いで表示される第２画面を示す図であり、図１（ｃ）は第２画面に次いで表示される第３画面を示す図である。２次元画像を使用して無線機器の設置位置を決定する情報処理装置を含む電波伝搬解析ツールは、例えば、ＲａｐＬａｂ、ＥＥＭ−ＲＴＭ、及びｉＢｗａｖｅ等である。
【００１５】
２次元画像を使用する方法では、まず、不図示の操作者は、表示部に表示される平面透視図９００の所望の点９０１をクリック等して無線機器の設置位置の水平方向の座標を決定する。次いで、操作者は、平面透視図９００における決定に対応するＸ座標９１１及びＹ座標９１２と共にＺ座標９１３が入力可能に表示されるＺ座標入力画面９１０を使用して無線機器の設置位置の鉛直方向の座標を決定する。そして、操作者は、無線機器の設置位置を決定する毎に３次元画像９２０を使用して無線機器の設置位置を確認する。操作者による無線機器の設置位置を確認する作業は、マウス等を操作して３次元画像の表示画面に含まれる領域の移動、回転及び拡大等の操作を数多く実行するため、煩雑になる。
【００１６】
図２（ａ）は３次元画像を使用して無線機器の設置位置を決定するときの第１画面を示す図であり、図２（ｂ）は第１画面に次いで表示される第２画面を示す図であり、図２（ｃ）は第２画面に次いで表示される第３画面を示す図である。
【００１７】
３次元画像を使用する方法では、まず、不図示の操作者は、表示部に表示される３次元画像９５０から、無線機器の設置位置の近傍を拡大表示するために、表示画面に含まれる領域の移動、回転及び拡大等の操作する。すなわち、操作者は、視点の位置及び角度を調整すると共に、ズームとも称される表示領域の拡大処理を実行する。操作者は、第１拡大画像９６０及び第２拡大画像９７０等のように３次元画像９５０の一部の領域を視認するために、表示画面に含まれる領域の移動、回転及び拡大等の操作を数多く実行する。３次元画像を使用する方法では、操作者は、マウス等を操作して３次元画像の表示画面に含まれる領域の移動、回転及び拡大等の煩雑な操作を数多く実行する。
【００１８】
（実施形態に係る情報処理装置の概要）
実施形態に係る情報処理装置は、３次元空間内に配置される複数のオブジェクトの位置を示す位置情報に基づいて、複数のオブジェクトを含む第１画像を示す第１画像データを生成し、生成した第１画像データを表示部に出力する。次いで、実施形態に係る情報処理装置は、操作者の操作に応じて、第１画像の一点に対応する位置を含み且つ３次元空間内の鉛直方向に延伸する表示平面を決定する。
【００１９】
次いで、実施形態に係る情報処理装置は、表示平面画像と、表示平面画像に重畳して配置され且つ無線機器の設置位置として選択可能な複数のオブジェクトの面を示す設置候補表示とを含む第２画像を示す第２画像データを生成する。実施形態に係る情報処理装置は、第２画像データを表示部に出力する。そして、実施形態に係る情報処理装置は、操作者の操作に応じて、操作者によって設置候補表示の何れかに対応する面が選択されたかを決定する。
【００２０】
実施形態に係る情報処理装置は、第１画像における操作者の選択操作、及び第２画像における操作者の選択操作により無線機器を設置する設置位置を決定する。実施形態に係る情報処理装置は、２つの選択操作により無線機器を設置する設置位置を決定することができるので、操作者による無線機器の設置位置の決定操作が容易になる。
【００２１】
（第１実施形態に係る設置位置決定処理を実行する情報処理装置の構成及び機能）
図３（ａ）は第１実施形態に係る設置位置決定処理を実行する情報処理装置の回路ブロック図であり、図３（ｂ）は図３（ａ）に示す処理部の機能ブロック図である。
【００２２】
情報処理装置１は、通信部１０と、記憶部１１と、入力部１２と、表示部１３と、処理部２０とを有する。
【００２３】
通信部１０は、ＨＴＴＰ（Hypertext Transfer Protocol）のプロトコルに従ってインタネットを介して不図示のサーバ等と通信を行う。そして、通信部１０は、サーバ等から受信したデータを処理部２０に供給する。また、通信部１０は、処理部２０から供給されたデータをサーバ等に送信する。
【００２４】
記憶部１１は、例えば、磁気テープ装置、磁気ディスク装置、又は光ディスク装置のうちの少なくとも一つを備える。記憶部１１は、処理部２０での処理に用いられるオペレーティングシステムプログラム、ドライバプログラム、アプリケーションプログラム、データ等を記憶する。例えば、記憶部１１は、アプリケーションプログラムとして、電波解析シミュレーションにおいて無線機器を設置する位置を決定する設置位置決定プログラムを記憶する。また、記憶部１１は、アプリケーションプログラムとして、設置位置決定プログラムによって設置位置が決定された無線機器の電波解析のための電波解析シミュレーションを実行する電波解析プログラムを記憶する。設置位置決定プログラム及び電波解析プログラムは、例えばＣＤ−ＲＯＭ、ＤＶＤ−ＲＯＭ等のコンピュータ読み取り可能な可搬型記録媒体から公知のセットアッププログラム等を用いて記憶部１１にインストールされてもよい。
【００２５】
また、記憶部１１は、設置位置決定処理及び電波解析処理で使用される種々のデータを記憶する。さらに、記憶部１１は、所定の処理に係る一時的なデータを一時的に記憶してもよい。
【００２６】
図４は記憶部に記憶されるテーブルの例を示す図であり、図４（ａ）はレイアウトテーブルを示し、図４（ｂ）はデバイステーブルを示し、図４（ｃ）は材質テーブルを示し、図４（ｄ）はアンテナテーブルを示す。また、図４（ｅ）はアプリケーションテーブルを示し、図４（ｆ）は設置関連テーブルを示す。
【００２７】
レイアウトテーブル４０１は、３次元空間内に配置される複数のオブジェクトの形状を示す形状情報及び複数のオブジェクトの３次元空間内での位置を示す位置情報を示す。レイアウトテーブル４０１は、複数のオブジェクトのそれぞれを識別するオブジェクトＩＤ、オブジェクトＩＤに関連付けて記憶される座標情報及び材質ＩＤを含む。レイアウトテーブル４０１は、座標情報として４つの座標を記憶しており、複数のオブジェクトの形状が矩形であることを示すと共に、複数のオブジェクトの３次元空間内での位置を示す。なお、レイアウトテーブル４０１は、複数のオブジェクトの形状が矩形であることを示す座標情報を記憶するが、実施形態に係る情報処理装置は、複数のオブジェクトの形状が三角形等の矩形以外の他の形状であることを示す座標情報を記憶してもよい。材質ＩＤは、矩形である複数のオブジェクトのそれぞれの上面及び下面の材質を示す材料データを記憶する材質テーブル４０３に関連付けるための識別子である。
【００２８】
デバイステーブル４０２は、電波解析シミュレーションに使用される無線機器に関する情報を記憶する。デバイステーブル４０２は、無線機器のそれぞれを識別するデバイスＩＤ、デバイスＩＤに関連付けて記憶されるアンテナＩＤ、送信周波数、送信電力、チルト角及び指向方向を含む。アンテナＩＤは、無線機器のそれぞれで利用されるアンテナを規定するためにアンテナテーブル４０４に関連付けるための識別子である。送信周波数、送信電力、チルト角及び指向方向のそれぞれは、無線機器のそれぞれで利用するアンテナの特性を規定する。
【００２９】
材質テーブル４０３は、３次元空間内に配置される複数のオブジェクトの材質に関する情報を記憶する。材質テーブル４０３に記憶される情報は、処理部２０が電波解析シミュレーションを実行するときに使用される。材質テーブル４０３は、材質のそれぞれを識別する材質ＩＤ、材質ＩＤに関連付けて記憶される厚さ情報及び電気特性情報を含む。厚さ情報は材質ＩＤにより識別される材質の厚さを示し、電気特性情報は材質ＩＤにより識別される材質の比誘電率及び導電率等の特性データを示す。
【００３０】
アンテナテーブル４０４は、無線機器のそれぞれで利用されるアンテナの特性を示す情報を記憶する。アンテナテーブル４０４は、アンテナのそれぞれを識別するアンテナＩＤ、アンテナＩＤに関連付けて記憶される指向性情報を含む。指向性情報は、アンテナＩＤにより識別されるアンテナのθ方向及びφ方向への指向性データ等の特性データを示す。
【００３１】
アプリケーションテーブル４０５は、無線機器のそれぞれが使用される態様において推奨される無線機器を設置する設置面を示す情報を記憶する。アプリケーションテーブル４０５は、無線機器のそれぞれが使用される態様のそれぞれを識別するアプリケーションＩＤ、アプリケーションＩＤに関連付けて記憶される推奨設置面情報を含む。推奨設置面情報は、アプリケーションＩＤにより識別される態様において推奨される無線機器を設置する設置面を示す。
【００３２】
設置関連テーブル４０６は、無線機器を設置するときに参照される情報を記憶する。設置関連テーブルは、無線機器のそれぞれが使用される態様のそれぞれを識別するアプリケーションＩＤ、アプリケーションＩＤに関連付けて記憶される自動設置面情報及び離隔距離情報を含む。自動設置面情報は、ビーコン等による屋内での人間の配置分布を検出される態様等の特定の態様において、無線機器を自動的に配置するときに使用される情報である。自動設置面情報は、例えば、操作者によってクリック等により指定された天井及び外壁等の面を「１」としたときの番号として規定される。離隔距離情報は、無線機器を設置する設置面と、無線機器との間の離隔距離を規定する。
【００３３】
入力部１２は、データの入力が可能であればどのようなデバイスでもよく、例えば、タッチパネル、キーボタン等である。操作者は、入力部１２を用いて、文字、数字、記号等を入力することができる。入力部１２は、操作者により操作されると、その操作に対応する信号を生成する。そして、生成された信号は、操作者の指示として、処理部２０に供給される。
【００３４】
表示部１３は、映像やフレーム等の表示が可能であればどのようなデバイスでもよく、例えば、液晶ディスプレイ又は有機ＥＬ（Electro−Luminescence）ディスプレイ等である。表示部１３は、処理部２０から供給された映像データに応じた映像や、動画データに応じたフレーム等を表示する。
【００３５】
処理部２０は、一又は複数個のプロセッサ及びその周辺回路を有する。処理部２０は、情報処理装置１の全体的な動作を統括的に制御するものであり、例えば、ＣＰＵである。処理部２０は、記憶部１１に記憶されているプログラム（ドライバプログラム、オペレーティングシステムプログラム、アプリケーションプログラム等）に基づいて処理を実行する。また、処理部２０は、複数のプログラム（アプリケーションプログラム等）を並列に実行できる。
【００３６】
処理部２０は、オブジェクト生成部２１と、機器位置決定部２２と、機器特性取得部２３と、電波解析シミュレーション実行部２４とを有する。機器位置決定部２２は、第１画像データ生成部２２１と、表示平面決定部２２２と、第２画像データ生成部２２３と、設置面選択部２２４と、第３画像データ生成部２２５と、設置位置決定部２２６とを有する。これらの各部は、処理部２０が備えるプロセッサで実行されるプログラムにより実現される機能モジュールである。あるいは、これらの各部は、ファームウェアとして情報処理装置１に実装されてもよい。
【００３７】
（第１実施形態に係る情報処理装置による電波解析処理）
図５は、情報処理装置１による電波解析処理のフローチャートである。図５に示す電波解析処理は、予め記憶部１１に記憶されているプログラムに基づいて、主に処理部２０により、情報処理装置１の各要素と協働して実行される。
【００３８】
まず、オブジェクト生成部２１は、電波解析シミュレーションが実行される３次元空間に配置される複数のオブジェクトのそれぞれを生成する（Ｓ１０１）。オブジェクト生成部２１は、例えば、電波解析シミュレーションが実行される３次元空間を撮像した画像を示す画像データから３次元ドットデータを生成し、生成した３次元ドットデータから複数のオブジェクトのそれぞれを生成してもよい。オブジェクト生成部２１は、生成したオブジェクトにオブジェクトＩＤを付すると共に、生成したオブジェクトの形状及び位置を規定する座標情報をオブジェクトＩＤに関連付けてレイアウトテーブル４０１に記憶する。
【００３９】
次いで、オブジェクト生成部２１は、Ｓ１０１の処理で生成された複数のオブジェクトのそれぞれの厚さを示す厚さ情報を、不図示の操作者の入力部１２の操作に応じて取得する（Ｓ１０２）。オブジェクト生成部２１は、取得した厚さ情報を複数のオブジェクトのそれぞれに関連付けられた材質ＩＤに関連付けて材質テーブル４０３に記憶する。次いで、オブジェクト生成部２１は、Ｓ１０１の処理で生成された複数のオブジェクトのそれぞれの電気特性を示す電気特性情報を、操作者の入力部１２の操作に応じて取得する（Ｓ１０３）。オブジェクト生成部２１は、取得した電気特性情報を複数のオブジェクトのそれぞれに関連付けられた材質ＩＤに関連付けて材質テーブル４０３に記憶する。
【００４０】
次いで、機器位置決定部２２は、無線機器を設置する設置する設置位置を操作者の入力部１２の操作に応じて決定する（Ｓ１０４）。機器位置決定部２２は、Ｓ１０４の処理で決定した設置位置をデバイスＩＤと関連付けてデバイステーブル４０２に記憶する。
【００４１】
次いで、機器特性取得部２３は、Ｓ１０４の処理で設置位置が決定された無線機器が送信器であるか又は受信器であるかを、操作者の入力部１２の操作に応じて判定する（Ｓ１０５）。
【００４２】
機器特性取得部２３は、Ｓ１０４の処理で設置位置が決定された無線機器が送信器であると判定した（Ｓ１０５−ＹＥＳ）ときに、送信周波数、送信電力を示す送信器情報を操作者の入力部１２の操作に応じて取得する（Ｓ１０６）。機器特性取得部２３は、Ｓ１０６の処理で取得した情報を、Ｓ１０４の処理で記憶されたデバイスＩＤに関連付けてデバイステーブル４０２に記憶する。
【００４３】
次いで、機器特性取得部２３は、Ｓ１０４の処理で設置位置が決定された無線機器のアンテナの種類を、操作者の入力部１２の操作に応じて規定する（Ｓ１０７）。機器特性取得部２３は、例えばアンテナテーブル４０４に対応する画像を表示部１３に選択可能に表示することで、操作者の操作を促す。機器特性取得部２３は、Ｓ１０７の処理で規定したアンテナの種類に対応するアンテナＩＤを、Ｓ１０４の処理で記憶されたデバイスＩＤに関連付けてデバイステーブル４０２に記憶する。
【００４４】
次いで、機器特性取得部２３は、Ｓ１０４の処理で設置位置が決定された無線機器のアンテナの傾き及び向きを示すアンテナ情報を、操作者の入力部１２の操作に応じて取得する（Ｓ１０８）。機器特性取得部２３は、Ｓ１０８の処理で取得した情報を、Ｓ１０４の処理で記憶されたデバイスＩＤに関連付けてデバイステーブル４０２に記憶する。
【００４５】
次いで、機器特性取得部２３は、電波解析シミュレーションにおいて使用される全ての無線機器についてＳ１０４〜Ｓ１０８の処理が実行されたか否かを、操作者の入力部１２の操作に応じて判定する（Ｓ１０９）。機器特性取得部２３によって全ての無線機器についてＳ１０４〜Ｓ１０８の処理が実行されたと判定される（Ｓ１０９−ＹＥＳ）まで、Ｓ１０４〜Ｓ１０９の処理が繰り返される。
【００４６】
機器特性取得部２３によって全ての無線機器についてＳ１０４〜Ｓ１０８の処理が実行されたと判定される（Ｓ１０９−ＹＥＳ）と、電波解析シミュレーション実行部２４は、電波解析シミュレーションを実行する（Ｓ１１０）。
【００４７】
（第１実施形態に係る情報処理装置による設置位置決定処理）
図６は、Ｓ１０４に示す処理のより詳細なフローチャートである。
【００４８】
まず、第１画像データ生成部２２１は、Ｓ１０１の処理で生成された複数のオブジェクト位置情報に基づいて、複数のオブジェクトを含む第１画像を示す第１画像データを生成する（Ｓ２０１）。第１画像データ生成部２２１は、生成した第１画像データを表示部１３に出力し、表示部１３は入力された第１画像データに対応する第１画像を表示する。第１画像は、図１（ａ）に示すような２次元画像であってもよく、図２（ａ）に示すような３次元画像であってもよい。
【００４９】
次いで、表示平面決定部２２２は、操作者による第１画像が表示された画面へのクリック操作（Ｓ２１１）に応じて、Ｓ２０１の処理で生成された第１画像の一点に対応する位置を含み且つ３次元空間内の鉛直方向に延伸する表示平面を決定する（Ｓ２０２）。操作者による第１画像が表示された画面へのクリック操作は、操作者による第１選択操作である。
【００５０】
図７（ａ）は表示平面決定部２２２によるＳ２０２の処理を説明するための第１の図であり、図７（ｂ）は表示平面決定部２２２によるＳ２０２の処理を説明するための第２の図である。
【００５１】
操作者による第１選択操作は、図７（ａ）に示すように３次元空間の平面図７００を示す２次元画像の所望の点７０１へのマウスを使用したクリック操作であってもよい。また、操作者による第１選択操作は、図７（ｂ）に示すように３次元空間を示す３次元画像７５０の天井及び側壁等の所望の点７５１へのマウスを使用したクリック操作であってもよい。操作者による第１選択操作が３次元画像７５０の側壁へのクリック操作であるとき、表示平面は、クリックされた一点に対応する位置を含み且つクリックされた側壁に直交する平面になる。
【００５２】
次いで、第２画像データ生成部２２３は、第２画像データを生成し、生成した第２画像データを表示部１３に出力する（Ｓ２０３）。第２画像データは、Ｓ２０２の処理で決定された表示平面に含まれる複数のオブジェクトを含む表示平面画像と、表示平面画像に重畳して配置され且つ無線機器の設置位置として選択可能な複数のオブジェクトの面を示す設置候補表示とを含む第２画像を示す。表示平面画像は、一例では図７（ａ）に示される点７０１を含み且つＸ方向及びＺ方向に延伸する平面であり、他の例では図７（ａ）に示される点７０１を含み且つＹ方向及びＺ方向に延伸する平面である。
【００５３】
第２画像データ生成部２２３は、不図示の操作者の指示に応じて第２画像に含まれる表示平面画像を切り換えてもよい。例えば、第２画像データ生成部２２３は、操作者がキーボードの「Ｘ」キーを押下することに応じてＸ方向に延伸する平面を表示平面画像として生成し、「Ｙ」キーを押下することに応じてＸ方向に延伸する平面を表示平面画像として生成してもよい。また、例えば、第２画像データ生成部２２３は、表示部１３に表示される「Ｘ」ボタンのクリックに応じてＸ方向に延伸する平面を表示平面画像として生成し、「Ｙ」ボタンのクリックに応じてＸ方向に延伸する平面を表示平面画像として生成してもよい。
【００５４】
次いで、設置面選択部２２４は、操作者による第２画像が表示された画面での設置面の選択操作（Ｓ２１２）に応じて、操作者の第２選択操作に応じて、操作者によって設置候補表示の何れかに対応する面が選択されたかを決定する（Ｓ２０４）。操作者による第２画像が表示された画面での設置面の選択操作は、操作者による第２選択操作である。
【００５５】
次いで、第３画像データ生成部２２５は、操作者の第２選択操作に応じて、選択された設置候補表示を他の設置候補表示と異なる表示形式で表示する第３画像を示す第３画像データを生成する（Ｓ２０５）。第３画像データ生成部２２５は、生成した第３画像データを表示部１３に出力する。
【００５６】
図８（ａ）は第２画像データ生成部２２３によって生成された第２画像データに対応する第２画像の一例を示す図であり、図８（ｂ）は第３画像データ生成部２２５によって生成された第３画像データに対応する第３画像の一例を示す図である。
【００５７】
第２画像８０２は、図８（ａ）においてそれぞれが直線で示される複数のオブジェクトにより形成される表示平面画像８２１と、表示平面画像８２１に重畳して配置される設置候補表示８２２１〜８２２８とを含む。表示平面画像８２１は、天井を示す第１オブジェクト８２１１と、天井に取り付けられた部材の下面を示す第２オブジェクト８２１２と、床面に配置された部材の上面を示す第３オブジェクト８２１３と、床面を示す第４オブジェクト８２１４とを含む。なお、図８（ａ）においては、複数のオブジェクト複数のオブジェクトは直線で示されるが、実施形態に係る情報処理装置は、複数のオブジェクトの形状が曲線等の直線以外の他の形状で表示してもよい。
【００５８】
設置候補表示８２２１は第１オブジェクト８２１１の表面に対応し、設置候補表示８２２２は第１オブジェクト８２１１の裏面に対応する。設置候補表示８２２３は第２オブジェクト８２１２の表面に対応し、設置候補表示８２２４は第２オブジェクト８２１２の裏面に対応する。設置候補表示８２２５は第３オブジェクト８２１３の表面に対応し、設置候補表示８２２６は第３オブジェクト８２１３の裏面に対応する。設置候補表示８２２７は第４オブジェクト８２１４の表面に対応し、設置候補表示８２２８は第４オブジェクト８２１４の裏面に対応する。
【００５９】
第３画像８０３は、第１オブジェクト８２１１の表面に対応する設置候補表示８３２１が設置候補表示８２２１の代わりに配置されることが第２画像８０２と相違する。設置候補表示８３２１は、マウスによるクリック等の操作者の第２選択処理により設置候補表示８２２１が選択されることによりアクティブであることを示すように、他の設置候補表示８２２２〜８２２８と異なる表示形式で表示される。設置候補表示８３２１は、例えば、点滅表示されてもよく、他の設置候補表示８２２２〜８２２８と異なる形状で表示されてもよく、他の設置候補表示８２２２〜８２２８と異なる色彩で表示されてもよい。また、他の設置候補表示８２２２〜８２２８は、非アクティブであることを示すように破線で示されてもよい。
【００６０】
そして、設置位置決定部２２６は、操作者による設置面の確認操作（Ｓ２１３）に応じて、第１画像の一点に対応する位置、及び設置面選択部２２４によって選択された面の位置に基づいて、無線機器の設置位置を決定する（Ｓ２０６）。操作者は、例えば、選択された面を無線機器を配置する面にしてよいか否かを示す確認信号が設置位置決定部２２６から入力することに応じて表示部１３に表示される画面を押下することで確認操作を実行してもよい。設置位置決定部２２６は、Ｓ２０２の処理で第１画像において操作者によって選択された点に対応するＸ座標及びＹ座標と、Ｓ２０４の処理で第２画像において選択された面に対応するＺ座標から、無線機器を設置する位置を示す座標を決定する。設置位置決定部２２６は、決定した座標をデバイステーブル４０２に記憶する。
【００６１】
（第１実施形態に係る情報処理装置の作用効果）
第１実施形態に係る情報処理装置は、第１画像における操作者の選択操作により無線機器を設置する設置位置のＸ座標及びＹ座標を決定し、第２画像における操作者の選択操作により無線機器を設置する設置位置のＺ座標を決定する。第１実施形態に係る情報処理装置は、２つの選択操作により無線機器を設置する設置位置を決定することができるので、操作者による無線機器の設置位置の決定操作が容易になる。
【００６２】
また、第１実施形態に係る情報処理装置は、選択された設置候補表示を他の設置候補表示と異なる表示形式で表示する第３画像を表示することで、操作者による無線機器の設置位置の確認動作を容易にすることができる。
【００６３】
（第２実施形態に係る設置位置決定処理を実行する情報処理装置の構成及び機能）
図９（ａ）は第２実施形態に係る設置位置決定処理を実行する情報処理装置の回路ブロック図であり、図９（ｂ）は図９（ａ）に示す処理部の機能ブロック図である。
【００６４】
情報処理装置２は、処理部３０を処理部２０の代わりに有することが情報処理装置１と相違する。処理部３０は、機器位置決定部３２を機器位置決定部２２の代わりに有することが処理部２０と相違する。機器位置決定部３２は、第２画像データ生成部３２３、設置面選択部３２４、第３画像データ生成部３２５及び設置位置決定部３２６を第２画像データ生成部２２３〜設置位置決定部２２６の代わりに有することが機器位置決定部２２と相違する。第２画像データ生成部３２３〜設置位置決定部３２６以外の情報処理装置２の構成要素の構成及び機能は、同一符号が付された情報処理装置１の構成要素の構成及び機能と同一なので、ここでは詳細な説明は省略する。
【００６５】
図１０（ａ）は第２画像データ生成部３２３によって生成された第２画像データに対応する第２画像の一例を示す図であり、図１０（ｂ）は第３画像データ生成部３２５によって生成された第３画像データに対応する第３画像の一例を示す図である。
【００６６】
第２画像１００２は、選択リスト１０２０を含むことが第２画像８０２と相違する。選択リスト１０２０以外の第２画像１００２の構成要素は同一符号が付された第２画像８０２の構成要素と同様なので、ここでは詳細な説明は省略する。
【００６７】
第２画像データ生成部２２３は、表示平面画像８２１及び８つの設置候補表示８２２１〜８２２８に加えて、選択リスト１０２０を含む第２画像を示す第２画像データを生成し、生成した第２画像データを表示部１３に出力する（Ｓ２０３）。次いで、設置面選択部３２４は、操作者の第２選択操作に応じて、操作者によって設置候補表示の何れかに対応する面が選択されたかを決定する（Ｓ２０４）。操作者は、選択リスト１０２０に含まれる文字列をクリック等することにより第２選択操作を実行する。
【００６８】
次いで、第３画像データ生成部３２５は、操作者の第２選択操作に応じて、選択された設置候補表示を他の設置候補表示と異なる表示形式で表示する第３画像を示す第３画像データを生成する（Ｓ２０５）。
【００６９】
第３画像１００３は、選択リスト１０３０を含むことが第３画像８０３と相違する。選択リスト１０３０以外の第３画像１００３の構成要素は同一符号が付された第３画像８０３の構成要素と同様なので、ここでは詳細な説明は省略する。選択リスト１０３０は、選択された文字列の表示形式が他の文字列の表示形式と異なることが選択リスト１０２０と相違する。
【００７０】
そして、設置位置決定部３２６は、操作者の確認操作に応じて、第１画像の一点に対応する位置、及び設置面選択部３２４によって選択された面の位置に基づいて、無線機器の設置位置を決定する（Ｓ２０６）。
【００７１】
（第２実施形態に係る情報処理装置の作用効果）
第２実施形態に係る情報処理装置は、選択リストを含む第２画像において操作者の選択操作を実行させるので、操作者は、第２画像及び第３画像において無線機器の設置位置を確認しながら無線機器の設置位置の決定操作を実行することができる。
【００７２】
（第３実施形態に係る設置位置決定処理を実行する情報処理装置の構成及び機能）
図１１（ａ）は第３実施形態に係る設置位置決定処理を実行する情報処理装置の回路ブロック図であり、図１１（ｂ）は図１１（ａ）に示す処理部の機能ブロック図である。
【００７３】
情報処理装置３は、処理部４０を処理部２０の代わりに有することが情報処理装置１と相違する。処理部４０は、機器位置決定部４２を機器位置決定部２２の代わりに有することが処理部２０と相違する。機器位置決定部４２は、第１画像データ生成部４２１、第３画像データ生成部４２５及び設置位置決定部４２６を第１画像データ生成部２２１、第３画像データ生成部２２５及び設置位置決定部２２６の代わりに有することが機器位置決定部２２と相違する。また、機器位置決定部４２は、設置面設定部４２０を有することが機器位置決定部２２と相違する。設置面設定部４２０、第１画像データ生成部４２１、第３画像データ生成部４２５及び設置位置決定部４２６以外の情報処理装置３の構成要素の構成及び機能は、同一符号が付された情報処理装置１の構成要素の構成及び機能と同一なので、ここでは詳細な説明は省略する。
【００７４】
（第３実施形態に係る情報処理装置による電波解析処理）
図１２は、情報処理装置３による電波解析処理のフローチャートである。図１２に示す電波解析処理は、予め記憶部１１に記憶されているプログラムに基づいて、主に処理部４０により、情報処理装置３の各要素と協働して実行される。
【００７５】
Ｓ３０１〜Ｓ３０３及びＳ３０５〜Ｓ３１０の処理は、Ｓ１０１〜Ｓ１０３及びＳ１０５〜Ｓ１１０の処理と同様なので、ここでは詳細な説明は省略する。機器位置決定部４２は、無線機器を設置する設置する設置位置を操作者の入力部１２の操作に応じて決定する（Ｓ３０４）。機器位置決定部４２は、Ｓ３０４の処理で決定した設置位置をデバイスＩＤと関連付けてデバイステーブル４０２に記憶する。
【００７６】
（第３実施形態に係る情報処理装置による設置位置決定処理）
図１３は、Ｓ３０４に示す処理のより詳細なフローチャートである。
【００７７】
まず、第１画像データ生成部４２１は、Ｓ３０１の処理で生成された複数のオブジェクト位置情報に基づいた複数のオブジェクト、及び設置面自動設定ボタン・設置面番号入力フォームを含む第１画像を示す第１画像データを生成する（Ｓ４０１）。
【００７８】
図１４は、第１画像データ生成部４２１によって生成された第１画像データに対応する第１画像の一例を示す図である。
【００７９】
第１画像１４０１は、Ｓ３０１の処理で生成された複数のオブジェクト位置情報に基づいた複数のオブジェクト１４１０と、設置面自動設定ボタン１４２０と、設置面番号入力フォーム１４３０とを含む。設置面自動設定ボタン１４２０は、操作者のクリックに応じてオン状態及びオフ状態を順次表示する。設置面番号入力フォーム１４３０は、設置面番号を入力可能に表示する。
【００８０】
次いで、設置面設定部４２０は、設置面自動設定ボタン１４２０への操作者の設定操作（Ｓ４２１）に応じて、設置面自動設定機能の設定情報を取得する（Ｓ４０２）。次いで、設置面設定部４２０は、Ｓ４０２の処理で取得した設定情報に基づいて、無線機器を設置するオブジェクトの面を自動設定するか否かを判定する（Ｓ４０３）。次いで、設置面設定部４２０は、設置面番号入力フォーム１４３０への操作者の入力操作（Ｓ４２２）に応じて、設置面番号を取得する（Ｓ４０４）。設置面設定部４２０は、取得した設定面番号をアプリケーションテーブル４０５に設定する。設置面は、例えば、天井及び側面等の第１画像において操作者によってクリックする面からの面数で規定されてもよい。
【００８１】
次いで、表示平面決定部２２２は、操作者による第１画像が表示された画面へのクリック操作（Ｓ４１２）、Ｓ４０５の処理で生成された第１画像の一点に対応する位置を含み且つ３次元空間内の鉛直方向に延伸する表示平面を決定する（Ｓ４０５）。操作者による第１画像が表示された画面へのクリック操作は、操作者による第１選択操作である。
【００８２】
次いで、第３画像データ生成部４２５は、選択された設置候補表示を他の設置候補表示と異なる表示形式で表示する第３画像を示す第３画像データを生成する（Ｓ４０６）。第３画像データは、Ｓ４０６の処理で決定された表示平面に含まれる複数のオブジェクトを含む表示平面画像と、表示平面画像に重畳して配置される設置候補表示とを含む第３画像を示す。Ｓ４０４の処理で設置面に設定された面に対応する設置候補表示は、他の設置候補表示と異なる表示形式で表示される。
【００８３】
図１５は、第３画像データ生成部４２５によって生成された第３画像データに対応する第３画像の一例を示す図である。
【００８４】
第３画像１５０３は、図１５においてそれぞれが直線で示される複数のオブジェクトにより形成される表示平面画像１５１０と、表示平面画像１５１０に重畳して配置される設置候補表示１５２１〜１５２６とを含む。表示平面画像１５１０は、天井を示す第１オブジェクト１５１１と、床面に配置された部材の上面を示す第２オブジェクト１５１２と、床面を示す第３オブジェクト１５１３とを含む。
【００８５】
設置候補表示１５２１は第１オブジェクト１５１１の表面に対応し、設置候補表示１５２２は第１オブジェクト１５１１の裏面に対応する。設置候補表示１５２３は第２オブジェクト１５１２の表面に対応し、設置候補表示１５２４は第２オブジェクト１５１２の裏面に対応する。設置候補表示１５２５は第３オブジェクト１５１３の表面に対応し、設置候補表示１５２６は第３オブジェクト１５１３の裏面に対応する。
【００８６】
図１５に示す例では、設置面設定部４２０は、第１オブジェクト１５１１の裏面を設定面にしている。第１オブジェクト１５１１の裏面が設定面なので、第１オブジェクト１５１１の裏面を示す設置候補表示１５２２は、他の設置候補表示１５２１及び１５２３〜１５２６と異なる表示形式で表示される。設置候補表示１５２２は、例えば、点滅表示されてもよく、他の設置候補表示１５２１及び１５２３〜１５２６と異なる形状で表示されてもよく、他の設置候補表示１５２１及び１５２３〜１５２６と異なる色彩で表示されてもよい。また、他の設置候補表示１５２１及び１５２３〜１５２６は、非アクティブであることを示すように破線で示されてもよい。
【００８７】
そして、設置位置決定部４２６は、操作者の確認操作に応じて（Ｓ４２５）、第１画像の一点に対応する位置、及び設置面設定部４２０によって設定された設定面の位置に基づいて、無線機器の設置位置を決定する（Ｓ４０７）。操作者は、例えば、選択された面を無線機器を配置する面にしてよいか否かを示す確認信号が設置位置決定部４２６から入力することに応じて表示部１３に表示される画面を押下することで確認操作を実行してもよい。設置位置決定部４２６は、Ｓ４０６の処理で第１画像において操作者によって選択された点に対応するＸ座標及びＹ座標と、設置面設定部４２０によって設定された設定面に対応するＺ座標から、無線機器を設置する位置を示す座標を決定する。設置位置決定部４２６は、決定した座標をデバイステーブル４０２に記憶する。
【００８８】
Ｓ４０８〜Ｓ４１２の処理は、Ｓ２０１〜Ｓ２０６の処理と同様なので、ここでは詳細な説明は省略する。
【００８９】
（第３実施形態に係る情報処理装置の作用効果）
第３実施形態に係る情報処理装置は、無線機器を設置する面を予め設定することができるので、選択可能な複数のオブジェクトの面を示す設置候補表示とを含む第２画像により無線機器を設置する面を選択する操作を省略することができる。第３実施形態に係る情報処理装置は、第２画像により無線機器を設置する面を選択する操作を省略することができるので、無線機器の設置位置を決定する操作がより簡便になる。
【００９０】
（第４実施形態に係る設置位置決定処理を実行する情報処理装置の構成及び機能）
図１６（ａ）は第４実施形態に係る設置位置決定処理を実行する情報処理装置の回路ブロック図であり、図１６（ｂ）は図１６（ａ）に示す処理部の機能ブロック図である。
【００９１】
情報処理装置４は、処理部５０を処理部２０の代わりに有することが情報処理装置１と相違する。処理部５０は、設置可能面決定部５１を有することが処理部２０と相違する。また、処理部５０は、機器位置決定部５２を機器位置決定部２２の代わりに有することが処理部２０と相違する。機器位置決定部５２は、第２画像データ生成部５２３を第２画像データ生成部２２３の代わりに有することが機器位置決定部２２と相違する。設置可能面決定部５１及び第２画像データ生成部５２３以外の情報処理装置４の構成要素の構成及び機能は、同一符号が付された情報処理装置１の構成要素の構成及び機能と同一なので、ここでは詳細な説明は省略する。
【００９２】
（第４実施形態に係る情報処理装置による電波解析処理）
図１７は、情報処理装置４による電波解析処理のフローチャートである。図１７に示す電波解析処理は、予め記憶部１１に記憶されているプログラムに基づいて、主に処理部５０により、情報処理装置４の各要素と協働して実行される。
【００９３】
Ｓ５０１、５０３〜Ｓ５０４及びＳ５０６〜Ｓ５１１の処理は、Ｓ１０１〜Ｓ１０３及びＳ１０５〜Ｓ１１０の処理と同様なので、ここでは詳細な説明は省略する。設置可能面決定部５１は、Ｓ５０１の処理で生成された複数のオブジェクトのそれぞれの面が無線機器を設置可能であるか否かを決定する（Ｓ５０２）。機器位置決定部５２は、無線機器を設置する設置する設置位置を操作者の入力部１２の操作に応じて決定する（Ｓ５０５）。機器位置決定部５２は、Ｓ５０５の処理で決定した設置位置をデバイスＩＤと関連付けてデバイステーブル４０２に記憶する。
【００９４】
（第４実施形態に係る情報処理装置による設置可能面決定処理）
図１８は、Ｓ５０２に示す処理のより詳細なフローチャートである。
【００９５】
まず、設置可能面決定部５１は、対象とするオブジェクトが他のオブジェクトと共に立体を形成するか否かを判定する（Ｓ６０１）。設置可能面決定部５１は、矩形であるオブジェクトの４つの辺の全てが他のオブジェクトと接するとき、対象とするオブジェクトが他のオブジェクトと共に立体を形成すると判定する。設置可能面決定部５１によって対象とするオブジェクトが他のオブジェクトと共に立体を形成しないと判定される（Ｓ６０１−ＮＯ）と、処理はＳ６０６に進む。なお、ここでは、オブジェクトの形状が矩形であるとしているが、オブジェクトの形状が三角形等の矩形以外の他の形状であってもよい。実施形態に係る情報処理装置は、オブジェクトの全ての辺が他のオブジェクトと接するときに他のオブジェクトと共に立体を形成すると判定されてもよい。
【００９６】
設置可能面決定部５１は、対象とするオブジェクトが他のオブジェクトと共に立体を形成すると判定する（Ｓ６０１−ＹＥＳ）と、実行するシミュレーションが屋内の電波解析シミュレーションであるか否かを判定する（Ｓ６０２）。設置可能面決定部５１は、最初のオブジェクトについては、屋内のシミュレーションであるか否かを確認する画面を表示部１３に表示して、実行するシミュレーションが屋内のシミュレーションであるか否かに関する情報を取得してもよい。設置可能面決定部５１は、実行するシミュレーションが屋内のシミュレーションであるか否かに関する情報を記憶部１１に記憶する。また、設置可能面決定部５１は、２回目以降のオブジェクトについては、記憶部１１に記憶される情報に基づいて、するシミュレーションが屋内のシミュレーションであるか否かを判定してもよい。
【００９７】
設置可能面決定部５１は、実行するシミュレーションが屋内の電波解析シミュレーションでないと判定する（Ｓ６０２−ＮＯ）と、形成される立体の内面に対応するオブジェクトの面を設置不可面の設定する（Ｓ６０３）。設置可能面決定部５１は、対象するオブジェクトの延伸方向と、立体を形成する他のオブジェクトの延伸方向に基づいて立体の内面に対応するオブジェクトの面を推定する。例えば、設置可能面決定部５１は、対象とするオブジェクトの４つの辺に接する４つの他のオブジェクトが対象するオブジェクトの一方の面に直交する同一方向に延伸するとき、４つの他のオブジェクトに囲まれる面を立体の内面に推定してもよい。
【００９８】
設置可能面決定部５１は、実行するシミュレーションが屋内の電波解析シミュレーションであると判定する（Ｓ６０２−ＹＥＳ）と、対象するオブジェクトは建屋を形成するか否かを判定する（Ｓ６０４）。設置可能面決定部５１は、対象するオブジェクトの一方の面に対向するオブジェクトがないとき、対象するオブジェクトは建屋を形成すると判定する。
【００９９】
設置可能面決定部５１は、対象するオブジェクトは建屋を形成すると判定する（Ｓ６０４−ＹＥＳ）と、立体の外面を設置不可面に設定する（Ｓ６０５）。一方、設置可能面決定部５１は、対象するオブジェクトは建屋を形成しないと判定する（Ｓ６０４−ＮＯ）と、立体の内面を設置不可面に設定する（Ｓ６０３）。設置可能面決定部５１は、対向するオブジェクトがない面を外面と推定し、対向するオブジェクトがある面を内面と推定する。
【０１００】
次いで、設置可能面決定部５１は、対象とするオブジェクトの何れかの面が他のオブジェクトの面と重複しているか否かを判定する（Ｓ６０６）。設置可能面決定部５１は、対象とするオブジェクトの座標と他のオブジェクトの座標とを比較することで、対象とするオブジェクトの何れかの面が他のオブジェクトの面と重複しているか否かを判定する。
【０１０１】
設置可能面決定部５１は、対象とするオブジェクトの何れかの面が他のオブジェクトの面と重複していると判定する（Ｓ６０６−ＹＥＳ）と、重複する面を設置不可面に設定する（Ｓ６０７）。
【０１０２】
次いで、設置可能面決定部５１は、全てのオブジェクトについてＳ６０１〜Ｓ６０７処理を実行したか否かを判定する（Ｓ６０８）。設置可能面決定部５１は、全てのオブジェクトについてＳ６０１〜Ｓ６０７処理を実行したと判定する（Ｓ６０８−ＹＥＳ）まで、Ｓ６０１〜Ｓ６０８の処理を繰り返す。設置可能面決定部５１によって全てのオブジェクトについてＳ６０１〜Ｓ６０７処理を実行したと判定される（Ｓ６０８−ＹＥＳ）と、処理は終了する。
【０１０３】
（第４実施形態に係る情報処理装置による設置位置決定処理）
図１９（ａ）はＳ５０５に示す処理のより詳細なフローチャートであり、図１９（ｂ）は図１９（ａ）に示すＳ７０３の処理のより詳細なフローチャートである。
【０１０４】
Ｓ７０１〜Ｓ７０２及びＳ７０４〜Ｓ７０６の処理は、Ｓ２０１〜Ｓ２０２及びＳ２０４〜Ｓ２０６の処理と同様なので、ここでは詳細な説明は省略する。また、Ｓ７１１〜Ｓ７１３の処理は、Ｓ２１１〜Ｓ２１３の処理と同様なので、ここでは詳細な説明は省略する。第２画像データ生成部５２３は、第２画像データを生成し、生成した第２画像データを表示部１３に出力する（Ｓ７０３）。
【０１０５】
具体的には、第２画像データ生成部５２３は、Ｓ７０２の処理で決定された表示平面の鉛直方向に位置するオブジェクトの面が、無線機器を設置可能な面であるか否かを判定する（Ｓ８０１）。第２画像データ生成部５２３は、記憶部１１を参照して、対象とするオブジェクトのそれぞれの面が設置不可面として記憶されているか否かに基づいて、無線機器を設置可能な面であるか否かを判定する。
【０１０６】
第２画像データ生成部５２３は、対象とするオブジェクトの面が、無線機器を設置可能な面であると判定する（Ｓ８０１−ＹＥＳ）と、無線機器を設置可能な面であると判定した面を設置可能面に決定する（Ｓ８０２）。次いで、第２画像データ生成部５２３は、Ｓ７０２の処理で決定された表示平面の鉛直方向に位置するオブジェクトの全てについてＳ８０１〜Ｓ８０２の処理を実行したか否かを判定する（Ｓ８０３）。第２画像データ生成部５２３は、鉛直方向に位置するオブジェクトの全てについてＳ８０１〜Ｓ８０２の処理を実行したと判定する（Ｓ８０３−ＹＥＳ）まで、Ｓ８０１〜Ｓ８０３の処理を繰り返す。
【０１０７】
第２画像データ生成部５２３は、鉛直方向に位置するオブジェクトの全てについてＳ８０１〜Ｓ８０２の処理を実行したと判定する（Ｓ８０３−ＹＥＳ）と、第２画像データを生成する（Ｓ８０４）。Ｓ８０４の処理によって生成される第２画像データに対応する第２画像は、無線機器を設置可能な面であると判定された面に対応する設置候補表示のみを含み、無線機器を設置可能な面であると判定されなかった面に対応する設置候補表示は含まない。そして、第２画像データ生成部５２３は、生成した第２画像データを出力する（Ｓ８０５）。
【０１０８】
図２０（ａ）はＳ５０２の処理を説明するための図であり、図２０（ｂ）はＳ５０５の処理を説明するための図である。図２０（ａ）において、設置可能面決定部５１によって設置不可面に設定された面は破線で示され、設置可能面決定部５１によって設置不可面に設定されなかった面は実線で示される。
【０１０９】
建屋断面図２００１において、面２０１１は、他のオブジェクトと共に形成される立体の内面であると判定されるため、設置不可面に設定される。また、面２０１２は、他のオブジェクトの面と重複する面であると判定されるため、設置不可面に設定される。また、面２０１３は、建屋の外面であると判定されるため、設置不可面に設定される。
【０１１０】
第２画像２００２は、図２０（ｂ）においてそれぞれが直線で示される複数のオブジェクトにより形成される表示平面画像２０２０と、表示平面画像２０２０に重畳して配置される設置候補表示２０３１〜２０３２とを含む。表示平面画像２０２０は、天井を示す第１オブジェクト２０２１と、天井に取り付けられた部材の下面を示す第２オブジェクト２０２２と、床面に配置された部材の上面を示す第３オブジェクト２０２３と、床面を示す第４オブジェクト２０２４とを含む。
【０１１１】
設置候補表示２０３１は、第２画像データ生成部５２３によって無線機器が設置可能な面であると決定された第２オブジェクト２０２２の裏面に対応する。設置候補表示１９３２は、第２画像データ生成部５２３によって無線機器が設置可能な面であると決定された第３オブジェクト２０２３の表面に対応する。
【０１１２】
（第４実施形態に係る情報処理装置の作用効果）
第４実施形態に係る情報処理装置は、第２画像において、無線機器が設置できない面に対応する設置候補表示を表示しないので、操作者による無線機器の設置位置の決定操作が更に容易になる。
【０１１３】
（第５実施形態に係る設置位置決定処理を実行する情報処理装置の構成及び機能）
図２１（ａ）は第５実施形態に係る設置位置決定処理を実行する情報処理装置の回路ブロック図であり、図２１（ｂ）は図２１（ａ）に示す処理部の機能ブロック図である。
【０１１４】
情報処理装置５は、処理部６０を処理部２０の代わりに有することが情報処理装置１と相違する。処理部６０は、使用態様決定部６１を有することが処理部２０と相違する。また、処理部６０は、機器位置決定部６２を機器位置決定部２２の代わりに有することが処理部２０と相違する。機器位置決定部６２は、機器位置決定部６２は、第２画像データ生成部６２３を第２画像データ生成部２２３の代わりに有することが機器位置決定部２２と相違する。使用態様決定部６１及び第２画像データ生成部６２３以外の情報処理装置５の構成要素の構成及び機能は、同一符号が付された情報処理装置１の構成要素の構成及び機能と同一なので、ここでは詳細な説明は省略する。
【０１１５】
（第５実施形態に係る情報処理装置による電波解析処理）
図２２は、情報処理装置５による電波解析処理のフローチャートである。図２２に示す電波解析処理は、予め記憶部１１に記憶されているプログラムに基づいて、主に処理部６０により、情報処理装置５の各要素と協働して実行される。
【０１１６】
Ｓ９０１、９０３〜Ｓ９０４及びＳ９０６〜Ｓ９１１の処理は、Ｓ１０１〜Ｓ１０３及びＳ１０５〜Ｓ１１０の処理と同様なので、ここでは詳細な説明は省略する。使用態様決定部６１は、電波解析シミュレーションが実行される無線機器が使用される態様を操作者の操作に応じて決定する（Ｓ９０２）。操作者は、例えば、無線機器を使用する複数の態様を選択可能に示す態様選択信号が使用態様決定部６１から入力することに応じて表示部１３に表示される画面を押下することで決定操作を実行してもよい。使用態様決定部６１は、決定した使用態様を、対応するアプリケーションＩＤと関連付けて記憶部１１に記憶する。
【０１１７】
機器位置決定部６２は、無線機器を設置する設置する設置位置を操作者の入力部１２の操作に応じて決定する（Ｓ９０５）。機器位置決定部６２は、Ｓ９０５の処理で決定した設置位置をデバイスＩＤと関連付けてデバイステーブル４０２に記憶する。
【０１１８】
（第３実施形態に係る情報処理装置による設置位置決定処理）
図２３（ａ）はＳ９０５に示す処理のより詳細なフローチャートであり、図２３（ｂ）は第２画像の一例を示す図である。
【０１１９】
Ｓ１００１〜Ｓ１００２及びＳ１００４〜Ｓ１００６の処理は、Ｓ２０１〜Ｓ２０２及びＳ２０４〜Ｓ２０６の処理と同様なので、ここでは詳細な説明は省略する。また、Ｓ１０１１〜Ｓ１０１３の処理は、Ｓ２１１〜Ｓ２１３の処理と同様なので、ここでは詳細な説明は省略する。第２画像データ生成部６２３は、第２画像データを生成し、生成した第２画像データを表示部１３に出力する（Ｓ１００３）。
【０１２０】
第２画像データ生成部６２３は、使用態様決定部６１によって決定された使用態様に関連付けられたアプリケーションＩＤを記憶部１１から取得する。また、第２画像データ生成部６２３は、アプリケーションテーブル４０５を参照して、取得したアプリケーションＩＤに対応する推奨設置面情報を取得する。そして、第２画像データ生成部６２３は、推奨設置面情報に対応する設置候補表示を他の設置候補表示と異なる表示形式で表示する第２画像を示す第２画像データを生成する。
【０１２１】
第２画像２３０２は、図２３（ｂ）においてそれぞれが直線で示される複数のオブジェクトにより形成される表示平面画像２３０と、表示平面画像２３０に重畳して配置される設置候補表示２３２１〜２３２６とを含む。表示平面画像２３０は、天井を示す第１オブジェクト２３１１と、天井に取り付けられた部材の下面を示す第２オブジェクト２３１２と、床面に配置された部材の上面を示す第３オブジェクト２３１３と、床面を示す第４オブジェクト２３１４とを含む。
【０１２２】
設置候補表示２３２１は第１オブジェクト２３１１の表面に対応し、設置候補表示２３２２は第１オブジェクト２３１１の裏面に対応する。設置候補表示２３２３は第２オブジェクト２３１２の表面に対応し、設置候補表示２３２４は第２オブジェクト２３１２の裏面に対応する。設置候補表示２３２５は第３オブジェクト２３１３の表面に対応し、設置候補表示２３２６は第３オブジェクト２３１３の裏面に対応する。設置候補表示２３２７は第４オブジェクト２３１４の表面に対応し、設置候補表示２３２８は第４オブジェクト２３１４の裏面に対応する。
【０１２３】
設置候補表示２３２２は、推奨される設置面であることを示すように、他の設置候補表示２３２１及び２３２３〜２３２８と異なる表示形式で表示される。設置候補表示２３２１は、例えば、点滅表示されてもよく、他の設置候補表示２３２１及び２３２３〜２３２８と異なる形状で表示されてもよく、他の設置候補表示２３２１及び２３２３〜２３２８と異なる色彩で表示されてもよい。また、他の設置候補表示２３２１及び２３２３〜２３２８は、推奨される設置面ではないことを示すように、破線で示されてもよい。
【０１２４】
（第５実施形態に係る情報処理装置の作用効果）
第５実施形態に係る情報処理装置は、無線機器を使用する態様に応じて無線機器の設置が推奨される面を予め設定することができるので、操作者は無線機器の設置位置をより簡便に決定ことができる。
【０１２５】
（実施形態に係る情報処理装置の変形例）
第２実施形態〜第５実施形態に係る情報処理装置のそれぞれは、別個の実施形態として示されるが、実施形態に係る情報処理装置は、第２実施形態〜第５実施形態に係る情報処理装置のそれぞれの特徴部分を２つ以上含んでもよい。例えば、実施形態に係る情報処理装置は、第２実施形態、第３実施形態及び第５実施形態に係る情報処理装置の特徴部分を含んでもよい。
【０１２６】
また、第３実施形態に係る情報処理装置は、自動設定されたオブジェクトの面に対応する設置候補表示を含む第３画像を示す第３画像データを生成するが、実施形態に係る情報処理装置は、第３画像データを生成する処理を省略してもよい。
【０１２７】
また、説明された実施形態に係る情報処理装置は、第１画像においてクリック等された一点を含む表示平面を決定するが、実施形態に係る情報処理装置は、範囲指定された領域に含まれる複数の点をそれぞれが含む複数の表示平面を決定してもよい。例えば、実施形態に係る情報処理装置は、操作者によって指定された個数の無線機器を範囲指定された領域に含むように複数の表示平面を決定してもよい。また、実施形態に係る情報処理装置は、操作者によって指定された個数の無線機器を、第３実施形態に示すように自動設定された面に自動的に配置してもよい。
【符号の説明】
【０１２８】
１〜５    情報処理装置
２０〜６０    処理部
２１    オブジェクト生成部
２２、３２、４２、５２、６２    機器位置決定部
２３    機器特性取得部
２４    電波解析シミュレーション実行部
２２１    第１画像データ生成部
２２２    表示平面決定部
２２３、３２３、５２３、６２３    第２画像データ生成部
２２４、３２４    設置面選択部
２２５、３２５、４２５    第３画像データ生成部
２２６、４２６    設置位置決定部
【図１】
2018200503.tif 000003
【図２】
2018200503.tif 000004
【図３】
2018200503.tif 000005
【図４】
2018200503.tif 000006
【図５】
2018200503.tif 000007
【図６】
2018200503.tif 000008
【図７】
2018200503.tif 000009
【図８】
2018200503.tif 000010
【図９】
2018200503.tif 000011
【図１０】
2018200503.tif 000012
【図１１】
2018200503.tif 000013
【図１２】
2018200503.tif 000014
【図１３】
2018200503.tif 000015
【図１４】
2018200503.tif 000016
【図１５】
2018200503.tif 000017
【図１６】
2018200503.tif 000018
【図１７】
2018200503.tif 000019
【図１８】
2018200503.tif 000020
【図１９】
2018200503.tif 000021
【図２０】
2018200503.tif 000022
【図２１】
2018200503.tif 000023
【図２２】
2018200503.tif 000024
【図２３】
2018200503.tif 000025